(57)【要約】【課題】電線の保持力を向上させることができるリテーナを有するコネクタを提供する。【解決手段】コネクタ１０は、ハウジング１２と、ハウジング１２に開口部２４側から取付けられるリテーナ１６であって、ケーブル１４と対向して配され、ケーブル１４に向かう一の方向に弾性変位可能なランス部４４を有し、ランス部４４がケーブル１４に弾性接触することでケーブル１４を保持するリテーナ１６と、を備えるコネクタ１０であって、ランス部４４は、ケーブル１４の外周面３０に合わせて湾曲した形状をなす湾曲部６０と、湾曲部６０の湾曲方向の両端部側から、一の方向と逆の方向にそれぞれ突出する一対の凸部６４と、を備え、ハウジング１２は、一対の凸部６４を一の方向から押さえることで、湾曲部６０をケーブル１４の外周面３０に全面で弾性接触させる押さえ部３６を備え、湾曲部６０の一対の凸部６４の間には、ケーブル１４の延出方向に延びる第２スリット７０が設けられている。【選択図】図５
2019200905.tif 000002
【特許請求の範囲】
【請求項１】
電線が挿通される開口部を有するハウジングと、
前記ハウジングに前記開口部側から取付けられるリテーナであって、前記電線と対向して配され、前記電線に向かう一の方向に弾性変位可能なランス部を有し、前記ランス部が前記電線に弾性接触することで前記電線を保持するリテーナと、を備えるコネクタであって、
前記ランス部は、前記電線の外周面に合わせて湾曲した形状をなす湾曲部と、前記湾曲部の湾曲方向の両端部側から、前記一の方向と逆の方向にそれぞれ突出する一対の凸部と、を備え、
前記ハウジングは、前記一対の凸部を前記一の方向から押さえることで、前記湾曲部を前記一の方向に弾性変位させ、前記湾曲部を前記電線の外周面に全面で弾性接触させる押さえ部を備え、
前記湾曲部の前記一対の凸部の間には、前記電線の延出方向に延びるスリットが設けられているコネクタ。
【請求項２】
前記押さえ部は、前記一対の凸部を前記一の方向からそれぞれ個別に押さえる一対の個別押さえ部を備える請求項１に記載のコネクタ。
【請求項３】
前記押さえ部は、前記リテーナの取付け方向と逆の方向に突出して設けられ、前記一対の凸部の突出方向の端部に接触して、前記湾曲部を前記一の方向に弾性変位させることとされ、
前記一対の凸部には、前記一対の凸部の前記突出方向の端部から、前記リテーナの取付け方向に、前記湾曲部の前記電線との接触面と反対側の面に向けて傾斜するテーパー面がそれぞれ設けられている請求項１又は請求項２に記載のコネクタ。
【請求項４】
前記ランス部及び前記押さえ部は、前記電線を挟んで両側にそれぞれ設けられている請求項１から請求項３のいずれか一項に記載のコネクタ。
【発明の詳細な説明】
【技術分野】
【０００１】
本明細書によって開示される技術は、コネクタに関する。
【背景技術】
【０００２】
従来のコネクタの一例として、特開平７−９４２３５号公報（下記特許文献１）に記載の防水コネクタが知られている。この防水コネクタは、電線が挿入される電線挿入筒を有するハウジングと、電線を保持する電線保持具と、を備えている。
【０００３】
電線保持具は、略円盤状をなす規制部を有しており、規制部の中心に電線を挿通可能な挿通孔が設けられている。規制部には、溝部が切り込まれ、溝部の終端にはヒンジ部が残されており、規制部は、ヒンジ部を中心として挿通孔および溝部を拡開させるような変形が可能となる。
【０００４】
規制部を開き、挿通孔の位置に電線を適合させた状態で、開かれた規制部を閉じることで、電線は電線保持部に挟みつけられる。電線保持部により電線が挟み付け状態のまま、電線保持具を電線挿入筒に挿入することで、電線保持具は狭持状態に保持され、これにより、電線は電線保持部に保持される。
【先行技術文献】
【特許文献】
【０００５】
【特許文献１】特開平７−９４２３５号公報
【発明の概要】
【発明が解決しようとする課題】
【０００６】
規制部が、電線の両側方から電線を挟むことで、電線を保持しているが、規制部が電線を挟むことにより電線の外周面にかかる応力は、規制部の挟む両方向から加わることとなるため、規制部が挟む方向と交差する方向にある溝部に近くなるにつれて、電線の径方向内側にかかる応力が小さくなり、電線の保持力低下を招くという問題がある。
【課題を解決するための手段】
【０００７】
本明細書で開示されるコネクタは、電線が挿通される開口部を有するハウジングと、前記ハウジングに前記開口部側から取付けられるリテーナであって、前記電線と対向して配され、前記電線に向かう一の方向に弾性変位可能なランス部を有し、前記ランス部が前記電線に弾性接触することで前記電線を保持するリテーナと、を備えるコネクタであって、前記ランス部は、前記電線の外周面に合わせて湾曲した形状をなす湾曲部と、前記湾曲部の湾曲方向の両端部側から、前記一の方向と逆の方向にそれぞれ突出する一対の凸部と、を備え、前記ハウジングは、前記一対の凸部を前記一の方向から押さえることで、前記湾曲部を前記一の方向に弾性変位させ、前記湾曲部を前記電線の外周面に全面で弾性接触させる押さえ部を備え、前記湾曲部の前記一対の凸部の間には、前記電線の延出方向に延びるスリットが設けられている。
【０００８】
ランス部の湾曲部には、電線の延出方向に延びるスリットが設けられていることから、ハウジングの押さえ部によって、一対の凸部が一の方向から押さえられると、スリットによって分断されたそれぞれの湾曲部は、一の方向に変位することとなる。このとき、一対の凸部は、湾曲部の湾曲方向の両端部側にそれぞれ設けられていることから、湾曲部の両端部側の一の方向への変位量は、湾曲部のスリット側の一の方向への変位量と比較して、大きくなる。これにより、湾曲部は、電線の径方向内側に撓むこととなり、電線の外周面に全面で弾性接触することとなるから、電線の保持力を向上させることができる。
【０００９】
また、前記押さえ部は、前記一対の凸部を前記一の方向からそれぞれ個別に押さえる一対の個別押さえ部を備える構成としても良い。
【００１０】
一対の個別押さえ部は、一対の凸部をそれぞれ個別に押さえる構成のため、例えば、１つの押さえ部が一対の凸部を同時に押さえる構成と比較して、一対の個別押さえ部同士を連結する部分が不要となるため、押さえ部の軽量化を図ることができる。
【００１１】
また、前記押さえ部は、前記リテーナの取付け方向と逆の方向に突出して設けられ、前記一対の凸部の突出方向の端部に接触して、前記湾曲部を前記一の方向に弾性変位させることとされ、前記一対の凸部の突出方向の端面は、前記リテーナの取付け方向に、前記湾曲部の前記電線との接触面と反対側の面に向けて傾斜するテーパー面となっている構成としても良い。
【００１２】
リテーナのハウジングへの取付けの際に、ハウジングの押さえ部がランス部の凸部のテーパー面と摺動しながら、ハウジングの押さえ部はランス部を一の方向に徐々に変位させるため、押さえ部の挿入力が低減し、リテーナのハウジングへの取付け作業性が向上する。
【００１３】
また、前記ランス部及び前記押さえ部は、前記電線を挟んで両側にそれぞれ設けられている構成としても良い。
【００１４】
電線は、電線を挟んで両側にそれぞれ設けられたランス部及び押さえ部に挟まれるため、電線の保持力を向上させることができる。
【発明の効果】
【００１５】
本明細書に開示されるコネクタによれば、電線の保持力を向上させることができるリテーナを有するコネクタを提供することができる。
【図面の簡単な説明】
【００１６】
【図１】本実施形態におけるコネクタの前方斜視図
【図２】リテーナ装着前のコネクタの後方斜視図
【図３】リテーナ装着前のコネクタの前方斜視図
【図４】コネクタの平面図
【図５】コネクタの背面図
【図６】図５におけるＡ−Ａ断面図
【図７】図６におけるリテーナの装着前の断面図
【図８】リテーナの背面図
【図９】リテーナの正面図
【図１０】リテーナの前方斜視図
【発明を実施するための形態】
【００１７】
＜実施形態＞
図１から図１０を参照して本実施形態を説明する。以降の説明では、図１から図１０におけるＸ方向を前方、Ｙ方向を右方、Ｚ方向を上方とする。
【００１８】
本実施形態のコネクタ１０は、図１に示すように、相手側コネクタ（図示せず）と嵌合されるハウジング１２と、ハウジング１２に後方から装着されるリテーナ１６と、を備えている。
【００１９】
ハウジング１２は、図１に示すように、前後方向に長い筒状をなす端子収容部１８と、端子収容部１８の前方部の外周に設けられ、前方に開口するハウジング側フード部２０と、から構成されている。端子収容部１８内には、角筒状をなす左右一対のキャビティ２２が設けられており、左右一対のキャビティ２２内には、それぞれ端子が収容されている。
【００２０】
端子収容部１８には、図２に示すように、後方に開口する開口部２４が設けられており、開口部２４には、２本の被覆電線２６を束ねて外被覆で覆った多芯のケーブル１４が挿通されている。ケーブル１４の２本の被覆電線２６の芯線は、一対のキャビティ２２内の端子にそれぞれ電気的に接続されている。
【００２１】
ケーブル１４には、図６に示すように、円環状のシールリング２８が挿通されており、シールリング２８は開口部２４内に収容されている。シールリング２８の外周面は、端子収容部１８の開口部２４内の内周面２９に弾性的に接触しており、また、シールリング２８の内周面は、ケーブル１４の外周面３０に弾性的に接触している。これにより、端子収容部１８の開口部２４から端子収容部１８内に水が浸入することを抑制している。端子収容部１８内には、シールリング２８の前面と当接する前方当接壁３２が設けられており、これによりシールリング２８は、端子収容部１８内で前方に変位することが阻止されている。
【００２２】
端子収容部１８の両側面には、図２、図３に示すように、後述するリテーナ１６を後方へ抜け止めする一対のハウジング側ロック部３４がそれぞれ外方に突出して設けられている。また、端子収容部１８には、開口部２４の上端開口縁及び下端開口縁から後方にそれぞれ突出する上下一対の押さえ部３６が設けられている。
【００２３】
上下一対の押さえ部３６のうち、上側の押さえ部３６は、図２に示すように、開口部２４の上端開口縁から後方に片持ち状に突出する左右一対の個別押さえ部３８から構成されており、左右一対の個別押さえ部３８は、左右方向に所定の間隔を空けて配されている。下側の押さえ部３６は、上側の押さえ部３６と同様に、開口部２４の下端開口縁から後方に片持ち状に突出する左右一対の個別押さえ部３８から構成されている。
【００２４】
リテーナ１６は、ケーブル１４、及び、シールリング２８をハウジング１２に保持するためのリテーナであって、図１０に示すように、左右方向に長い長円形の板状をなす基端壁４０と、基端壁４０の外周縁から前方にフード状に開口するリテーナ側フード部４２と、枠状をなし、基端壁４０の後面から後方に突出する枠部４６と、基端壁４０の後面から後方に突出する上下一対のランス部４４と、を備えている。リテーナ１６は、図１に示すように、リテーナ側フード部４２が端子収容部１８の開口部２４を覆うように、ハウジング１２に装着されている。基端壁４０には、図９に示すように、中央にケーブル１４が挿通される第１挿通孔４８、並びに、上側の左右一対の個別押さえ部３８及び下側の左右一対の個別押さえ部３８がそれぞれ挿通される４つの第２挿通孔５０が開口して設けられている。
【００２５】
リテーナ側フード部４２の両側面には、図３に示すように、前後方向に切欠いた形状をなす第１スリット５２が、上下方向に所定の間隔を空けて２つずつ設けられており、これにより、左右方向に弾性変位可能な左右一対のロックアーム５４が形成されている。一対のロックアーム５４は、上下方向の中央が前後方向に長く開口しており、その開口縁の前端部が、リテーナ側ロック部５８とされる。
【００２６】
リテーナ１６がハウジング１２に装着されると、図１に示すように、リテーナ側ロック部５８は、ハウジング側ロック部３４に前方から当接可能な状態となり、リテーナ１６は、ハウジング１２から後方に外れることが阻止される。
【００２７】
上下一対のランス部４４は、図１０に示すように、基端壁４０の第１挿通孔４８の開口縁から、後方（ケーブル１４の延出方向）に片持ち状にそれぞれ突出して設けられている。
【００２８】
上下一対のランス部４４のうち、先ず、上側のランス部４４について説明する。上側のランス部４４は、図９、図１０に示すように、湾曲部６０と、左右一対の被水抑制壁６２と、左右一対の凸部６４と、を備えている。
【００２９】
湾曲部６０は、図１０に示すように、第１挿通孔４８の開口縁から後方（ケーブル１４の延出方向）に延びて設けられており、図２に示すように、ケーブル１４の外周面３０に合わせて湾曲した形状をなしている。左右一対の凸部６４は、図７、図９に示すように、被水抑制壁６２の前方に位置しており、湾曲部６０の左右方向（湾曲方向）の両端部側から、上方にそれぞれ突出して設けられている。一対の凸部６４の上端部には、図７に示すように、前方に、湾曲部６０の上面に向けて傾斜するテーパー面６６が設けられている。また、湾曲部６０の下面は、断面鋸歯状をなす鋸歯状部６８とされており、図６に示すように、ケーブル１４をハウジング１２に保持する際に、鋸歯状部６８がケーブル１４を噛み込むため、ケーブル１４の保持力が向上する。また、湾曲部６０は、ケーブル１４の延出方向に延びているため、鋸歯状部６８とケーブル１４との接触面積が大きくなり、ケーブル１４の保持力が向上する。
【００３０】
被水抑制壁６２は、図１０に示すように、湾曲部６０の後端部から上方にそれぞれ突出して設けられている。被水抑制壁６２の左右方向の幅は、図８、図９に示すように、第２挿通孔５０の左右方向の開口幅と同じ幅となっており、被水抑制壁６２は、正面視上、被水抑制壁６２の左右両端と、第２挿通孔５０の左右両側の開口縁との間に、隙間が生じない位置に設けられている。
【００３１】
被水抑制壁６２の上端部は、図８に示すように、第２挿通孔５０の上端開口縁よりも下方に位置しており、図５に示すように、背面視上、被水抑制壁６２の上端部と第２挿通孔５０の上端開口縁との間から、個別押さえ部３８の後端部が視認可能となっている。これにより、押さえ部３６の後端部の前後方向の位置から、リテーナ１６が正規にハウジング１２に取付けられているか否かを確認することができるようになっている。
【００３２】
凸部６４は、図９に示すように、第２挿通孔５０の開口内に収まっているため、仮に被水抑制壁６２が設けられていない場合、凸部６４と第２挿通孔５０の開口縁との間の隙間から開口部２４内に水が浸入し、シールリング２８が直接被水する虞がある。しかしながら、被水抑制壁６２及び個別押さえ部３８によって、背面視上、第２挿通孔５０が覆われているため、第２挿通孔５０から浸入した水がシールリング２８に直接被水することを抑制している。
【００３３】
図８、図１０に示すように、湾曲部６０の左右一対の被水抑制壁６２（及び、左右一対の凸部６４）の間の中央には、前後方向（ケーブル１４の延出方向）に切欠いた形状をなす第２スリット（スリット）７０が設けられており、これにより、湾曲部６０は左右に分断されている。
【００３４】
上下一対のランス部４４のうち、下側のランス部４４は、図８に示すように、上側のランス部４４と上下対称の形状をなしており、その他は、上側のランス部４４と同じ構成となっている。
【００３５】
枠部４６は、図１０に示すように、基端壁４０の上端部及び下端部からそれぞれ後方に突出する上下一対の変位阻止部７２と、上下一対の変位阻止部７２の左右両端部をそれぞれ連結する左右一対の連結部７４とから構成されている。左右一対の連結部７４には、互いに対向する面から枠部４６の左右方向の内方に向けて突出する左右一対の突出部７６が設けられている。左右一対の突出部７６は、図５に示すように、ケーブル１４に左右方向からそれぞれ接触しており、これにより、ケーブル１４の左右方向への変位を規制している。
【００３６】
リテーナ１６がハウジング１２に装着されると、図６に示すように、リテーナ１６の上下一対の変位阻止部７２と上下一対のランス部４４の凸部６４との間に、ハウジング１２の上下一対の押さえ部３６が挿通される。押さえ部３６の左右一対の個別押さえ部３８は、左右一対の凸部６４をそれぞれ個別に、ランス部４４のケーブル１４に向かう方向から押さえている。これにより、ランス部４４はケーブル１４に向けて弾性変位し、ランス部４４の湾曲部６０の鋸歯状部６８は、ケーブル１４に弾性接触する。また、ランス部４４がケーブル１４に弾性接触することにより生じるケーブル１４の反力により、ランス部４４はケーブル１４に向かう方向と逆方向に弾性変位する。これにより、左右一対の個別押さえ部３８は、ケーブル１４に向かう方向と逆方向に弾性変位し、図５に示すように、変位阻止部７２に、ケーブル１４に向かう方向と逆方向から弾性的に接触している。
【００３７】
上下一対の変位阻止部７２のうち、下側の変位阻止部７２の下面には、図５に示すように、上方に凹む第１凹部７８が設けられており、第１凹部７８の底には、図６、図７に示すように、第１の排水口８０が開口して設けられている。また、上下一対の変位阻止部７２のうち、上側の変位阻止部７２の上面には、図５に示すように、下方に凹む第２凹部８２が設けられており、第２凹部８２の底の一部には、図２、図４、図６、図７に示すように、第２の排水口８４が開口して設けられている。
【００３８】
リテーナ１６がハウジング１２に装着されると、図６に示すように、基端壁４０の第１挿通孔４８の開口縁は、シールリング２８に後方から当接し、シールリング２８が後方に抜けることを阻止しており、シールリング２８に後方から当接する第１挿通孔４８の開口縁の部分は、当接部８６とされる。第１の排水口８０は、当接部８６の鉛直方向下方に位置している。
【００３９】
図６に示すように、基端壁４０の前面が、端子収容部１８の開口部２４の開口縁に後方から当接することで、リテーナ１６は、前方に変位することが阻止されている。また、リテーナ１６のロックアーム５４のアーム長は、ハウジング側ロック部３４に嵌合するのに必要な長さよりも若干長めにとってあり、リテーナ１６はハウジング１２に対して若干前後方向にガタつくようになっている。これにより、基端壁４０の前面と、端子収容部１８の開口部２４の開口縁との間は、図示しないものの、僅かに隙間が生じている。
【００４０】
リテーナ１６内に水が浸入し、シールリング２８に水が付着すると、水は、基端壁４０の前面を伝って鉛直方向下方に流れる。さらに、下方に流れた水は、基端壁４０の前面と端子収容部１８の開口部２４の開口縁との間の図示しない隙間に流れ、第２の排水口８４から外部に排出されることで、シールリング２８付近に水が滞留することが抑制される。これにより、例えば、シールリング２８に付着した水が凍って膨張することで、シールリング２８と開口部２４の内周面との間の隙間を押し上げ、シールリング２８のシール性が低下することを抑制することができる。また、例えば、塩水がリテーナ１６内に浸入し、シールリング２８付近に付着した際に、塩水が乾いて、塩がシールリング２８と開口部２４の内周面との間の隙間を押し上げ、シールリング２８のシール性が低下することを抑制することができる。なお、コネクタ１０を上下逆方向に接続した場合は、第１の排水口８０から同様にリテーナ１６内に浸入した水が排出される。
【００４１】
次に、本実施形態の作用について説明する。
リテーナ１６をハウジング１２に装着するため、図７に示すように、リテーナ１６の第１挿通孔４８にケーブル１４を挿通すると、ランス部４４の湾曲部６０の下面の鋸歯状部６８がケーブル１４の外周面３０と摺動する。このとき、ランス部４４の湾曲部６０に第２スリット７０が設けられているため、湾曲部６０が外方に撓み易くなっており、ケーブル１４の挿通作業が行い易くなっている。
【００４２】
次に、リテーナ１６を前方に変位させ、リテーナ１６の凸部６４と変位阻止部７２との間に、ハウジング１２の上下一対の押さえ部３６をそれぞれ挿通する。ここでは、先ず、上側のランス部４４、変位阻止部７２、及び押さえ部３６の作用について説明する。
リテーナ１６を前方に変位させると、左右一対の凸部６４のテーパー面６６が、ハウジング１２の左右一対の個別押さえ部３８の後端部に当たる。さらに、リテーナ１６を前方に変位させると、左右一対の凸部６４のテーパー面６６と左右一対の個別押さえ部３８の後端部とが摺動しながら、左右一対の凸部６４は、左右一対の個別押さえ部３８に上方から押さえられ、ケーブル１４に向けて弾性変位する。これにより、図６に示すように、リテーナ１６のハウジング１２への装着が完了する。このように、凸部６４にテーパー面６６を設けることで、押さえ部３６の挿入力が低減され、リテーナ１６のハウジング１２への取付け作業性が向上する。
【００４３】
図６に示すように、左右一対の押さえ部３６が左右一対の凸部６４を上方から押さえることで、ランス部４４は、下方に弾性変位し、湾曲部６０の鋸歯状部６８がケーブル１４の外周面３０に弾性的に接触することで、ケーブル１４はハウジング１２に保持される。このとき、左右一対の凸部６４は、図９に示すように、湾曲部６０の左右両端側に位置していることから、上側の湾曲部６０が下方に弾性変位する変位量は、第２スリット７０側の弾性変位量よりも、左右両端側の弾性変位量の方が大きくなる。従って、湾曲部６０は、ケーブル１４の径方向内側に向けて弾性変位することとなる。このように、湾曲部６０に第２スリット７０を設け、さらに、左右一対の凸部６４を湾曲部６０の両端側に設けることで、湾曲部６０がケーブル１４の径方向内側に弾性変位し、ケーブル１４の外周面３０に全面で弾性接触することとなるため、ケーブル１４の保持力を向上させることができる。
【００４４】
湾曲部６０の鋸歯状部６８がケーブル１４に弾性的に接触することによりケーブル１４に反力が生じることとなる。このケーブル１４の反力によって、湾曲部６０及び左右一対の個別押さえ部３８は上方に変位しようとする。しかしながら、左右一対の個別押さえ部３８が上方に変位すると、図５に示すように、左右一対の個別押さえ部３８は変位阻止部７２に下方から当接することとなるため、左右一対の個別押さえ部３８の上方への変位が阻止される。これにより、左右一対の個別押さえ部３８が上方に変位することでケーブル１４の保持力が低下することを抑制している。また、上下一対の変位阻止部７２の両端部は、左右一対の連結部７４によってそれぞれ連結されているため、上下一対の変位阻止部７２は上下方向に撓みにくくなっている。これにより、ケーブル１４の反力により変位阻止部７２が撓み、ケーブル１４の保持力が低下することが抑制されている。
【００４５】
下側のランス部４４、変位阻止部７２、及び押さえ部３６についても、上側のランス部４４、変位阻止部７２、及び押さえ部３６と同様の作用を奏する。また、上下のランス部４４により上下方向からケーブル１４は保持されるため、上下のいずれか一方にのみランス部４４を設ける構成と比較して、ケーブル１４の保持力が向上する。
【００４６】
次に、リテーナ１６の後方からリテーナ１６に水滴がかかったことを想定する。このとき、第２挿通孔５０に向けて飛んだ水滴は、第２挿通孔５０の前方に設けられている被水抑制壁６２に当たり、第２挿通孔５０から開口部２４内に水滴が浸入することが抑制される。また、被水抑制壁６２を超えて第２挿通孔５０に水滴が到達しても、一対の押さえ部３６の後端部に当たるため、第２挿通孔５０から開口部２４内に水滴が浸入することが抑制される。このように、第２挿通孔５０は、図５に示すように、背面視上、一対の押さえ部３６の後端部及び被水抑制壁６２により覆われているため、第２挿通孔５０から水が浸入することが抑制される。
【００４７】
第１挿通孔４８及び第２挿通孔５０の内周面にはシール処理が施されていないことから、水滴が開口部２４内に浸入し、シールリング２８に付着する場合も有り得る。また、第２の排水口８４から水滴が浸入し、シールリング２８に付着する場合も有り得る。このようにしてシールリング２８に付着した水滴は、基端壁４０の前面を伝って鉛直方向下方に流れ、第２の排水口８４から外部に速やかに排出されるため、シールリング２８付近に水が滞留することが抑制される。
【００４８】
以上のように本実施形態によれば、ランス部４４の湾曲部６０には、ケーブル（電線）１４の延出方向に延びる第２スリット（スリット）７０が設けられていることから、ハウジング１２の押さえ部３６によって、一対の凸部６４が一の方向から押さえられると、第２スリット（スリット）７０によって分断されたそれぞれの湾曲部６０は、一の方向に変位することとなる。このとき、一対の凸部６４は、湾曲部６０の湾曲方向の両端部側にそれぞれ設けられていることから、湾曲部６０の両端部側の一の方向への変位量は、湾曲部６０の第２スリット（スリット）７０側の一の方向への変位量と比較して、大きくなる。これにより、湾曲部６０は、ケーブル（電線）１４の径方向内側に撓むこととなり、ケーブル（電線）１４の外周面３０に全面で弾性接触することとなるから、ケーブル（電線）１４の保持力を向上させることができる。
【００４９】
また、一対の個別押さえ部３８は、一対の凸部６４をそれぞれ個別に押さえる構成のため、例えば、１つの押さえ部が一対の凸部６４を同時に押さえる構成と比較して、一対の個別押さえ部３８同士を連結する部分が不要となるため、押さえ部３６の軽量化を図ることができる。
【００５０】
また、リテーナ１６のハウジング１２への取付けの際に、ハウジング１２の押さえ部３６がランス部４４の凸部６４のテーパー面６６と摺動しながら、ハウジング１２の押さえ部３６はランス部４４を一の方向に徐々に変位させるため、押さえ部３６の挿入力が低減され、リテーナ１６のハウジング１２への取付け作業性が向上する。
【００５１】
また、ケーブル（電線）１４は、ケーブル（電線）１４を挟んで両側にそれぞれ設けられたランス部４４及び押さえ部３６に挟まれるため、ケーブル（電線）１４の保持力を向上させることができる。
【００５２】
＜他の実施形態＞
本明細書によって開示される技術は上記記述及び図面によって説明した実施形態に限定されるものではなく、例えば次のような種々の態様も含まれる。
（１）上記実施形態では、リテーナ１６の上下一対のランス部４４が上下方向からケーブル１４にそれぞれ弾性接触することで、ケーブル１４をハウジング１２に保持する構成としたが、ランス部は、左右一対設けられる構成とし、左右方向からケーブルに弾性接触する構成としても良い。また、ランス部は１つの構成とし、一方向からケーブルに弾性的に接触し、ケーブルを保持する構成としても良い。
（２）上記実施形態では、ハウジング１２の押さえ部３６は、左右一対の個別押さえ部３８から構成され、左右一対の個別押さえ部３８がリテーナ１６の左右一対の凸部６４をそれぞれ押さえる構成としたが、１つの押さえ部が左右一対の凸部６４を同時に押さえる構成としても良い。
（３）上記実施形態では、被水抑制壁６２の左右方向の幅は、第２挿通孔５０の左右方向の開口幅と同じ幅としたが、第２挿通孔５０の左右方向の開口幅よりも大きくしても良い。
（４）上記実施形態では、ランス部４４に凸部６４を設け、ハウジング１２の押さえ部３６が凸部６４を押さえる構成としたが、ランス部に凸部を設けず、押さえ部側に凸部を設け、押さえ部の凸部がランス部の湾曲部を押さえる構成としても良い。
（５）上記実施形態では、上下一対の変位阻止部７２の両端同士を、左右一対の連結部７４がそれぞれ連結することで、変位阻止部７２を撓みにくくする構成としていたが、例えば、左右一対の連結部７４を設けずに、変位阻止部の肉厚を厚くして、変位阻止部を撓みにくくする構成としても良い。
【符号の説明】
【００５３】
１０：コネクタ
１２：ハウジング
１４：ケーブル（電線）
１６：リテーナ
２４：開口部
３０：外周面
３６：押さえ部
３８：個別押さえ部
４４：ランス部
６０：湾曲部
６４：凸部
７０：第２スリット（スリット）
６６：テーパー面
【図１】
2019200905.tif 000003
【図２】
2019200905.tif 000004
【図３】
2019200905.tif 000005
【図４】
2019200905.tif 000006
【図５】
2019200905.tif 000007
【図６】
2019200905.tif 000008
【図７】
2019200905.tif 000009
【図８】
2019200905.tif 000010
【図９】
2019200905.tif 000011
【図１０】
2019200905.tif 000012